(57)【要約】【課題】製造コストを抑えることができるとともに、何度でも使用することが可能な、ラジウムを用いた健康器を提供すること。【解決手段】非浸水性の容器２、１２、２２と、該容器２、１２、２２に密封状態で充填されたラジウム含有物質３、１３、２３と、を具備したことを特徴としており、前記ラジウム含有物質としては、秋田県の玉川温泉で採取される湯の花を粉末にしたものや、秋田県の玉川温泉で採取される湯の花を粉末にしたものを更に玉川温泉の温泉水に混ぜて液状化させたものを用いるとよく、これにより、容器を沈めた浴槽内に入り、容器を置いた岩盤等の上に横になったり座ったりすることで、湯の花粉末に含有されるラジウムから放射されるラジウム放射線によって各種の治療等が可能であるとともに、用いる湯の花の量を調整することで症状にあった治療を行うことが可能である。【選択図】図１
2008279075.tif 000002
【特許請求の範囲】
【請求項１】
非浸水性の容器（２、１２、２２）と、
該容器（２、１２、２２）の内部に密封状態で充填されたラジウム含有物質（３、１３、２３）と、を具備したことを特徴とするラジウムを用いた健康器。
【請求項２】
前記ラジウム含有物質が、秋田県の玉川温泉で採取される湯の花を粉末にしたもの（３、１３）であることを特徴とする請求項１に記載のラジウムを用いた健康器。
【請求項３】
前記ラジウム含有物質が、秋田県の玉川温泉で採取される湯の花を粉末にしたものを更に玉川温泉の温泉水に混ぜて液状化させたもの（２３）であることを特徴とする請求項１に記載のラジウムを用いた健康器。
【発明の詳細な説明】
【技術分野】
【０００１】
本発明は、非浸水性の容器の中に、ラジウムを含有した物質を密封状態で充填してなるラジウムを用いた健康器に係り、より詳しくは、秋田県の玉川温泉で採取される湯の花を粉末状にしたもの、又は、秋田県の玉川温泉で採取される湯の花を粉末状にしたものを更に玉川温泉の温泉水に混ぜて液状化させたものを、非浸水性の容器の中に密封状態で充填してなることを特徴とするラジウムを用いた健康器に関する。
【背景技術】
【０００２】
従来から、ラジウム元素から放射される放射線には病気等の治療に効果があり、また、秋田県の玉川温泉で採取される湯の花にはラジウムが含有されていることが知られているため、この玉川温泉の湯の花を用いた各種の入浴剤、健康器具、治療用器具が提供されており、この健康器具や治療用器具を用いることにより、病気等の治療を行なうことができるとされている。
【０００３】
しかしながら、従来から提供されている入浴剤では、湯の花を溶出袋に詰めたものであるために、１回の使用で湯の花がお湯の中に溶出して消失してしまうために効率が悪いという問題点が考えられる。
【０００４】
また、従来から提供されている、湯の花を用いた健康器具、健康器具では、湯の花に特殊な加工を施して用いており、あるいは器具自体が複雑な構成となっているために、製造コストが上がってしまうという問題点が指摘できる。
【特許文献１】特開２００６−２１７９３２号公報
【特許文献２】特開２００５−２８７９５６号公報
【特許文献３】特開２００５−２４５６３２号公報
【特許文献４】特開２００５−２４５６３１号公報
【特許文献５】特開２００２−１３６６１０号公報
【特許文献６】特開平８−１９８７２６号公報
【特許文献７】実開平１−１１４６３２号公報
【特許文献８】実公平２−４０９２号公報
【特許文献９】実開昭６３−２７３３号公報
【特許文献１０】実開昭６２−１９１８３３号公報
【特許文献１１】実用新案登録第３１１９８９９号公報
【特許文献１２】実用新案登録第３１０４７４２号公報
【特許文献１３】実用新案登録第３０８０２９９号公報
【発明の開示】
【発明が解決しようとする課題】
【０００５】
そこで、本発明は、製造コストを抑えることができるとともに、何度でも使用することが可能な、ラジウムを用いた健康器を提供することを課題としている。
【課題を解決するための手段】
【０００６】
本発明のラジウムを用いた健康器は、非浸水性の容器と、該容器の内部に密封状態で充填されたラジウム含有物質と、を具備したことを特徴としている。
【発明の効果】
【０００７】
本発明のラジウムを用いた健康器では、非浸水性の容器内にラジウムを含有した物質を密封状態で充填して構成されているために、湯の花等に特殊な加工を施し、あるいは器具自体を複雑な構成としている従来の器具等と異なり製造コストを抑えることが可能である。
【０００８】
また、非浸水性の容器内にラジウムを含有した物質を密封状態で充填しているために、例えば入浴剤として使用した場合でも、内部の物質がお湯の中に溶出することがなく、従って、半永久的に使用することが可能である。
【発明を実施するための最良の形態】
【０００９】
本発明のラジウムを用いた健康器では、プラスチックス、ビニール等の樹脂により構成される、水分を通さない非浸水性の容器を備えており、この容器の内部には、ラジウムを含有する物質を密封状態で充填している。
【００１０】
ここで、前記ラジウムを含有する物質としては、秋田県の玉川温泉で採取される湯の花を粉末にしたものや、この湯の花を、更に、玉川温泉の温泉水に混ぜて液状化させたものを用いると良く、これにより、湯の花に含有されているラジウム元素から、病気等の治療に効果があることが知られている放射線を確実に放射することができる。
【実施例１】
【００１１】
本発明のラジウムを用いた健康器（以下単に「健康器」という。）の第１の実施例について図面を参照して説明すると、図１は本実施例の健康器の斜視図であり、また図２は図１におけるＡ−Ａ線断面図であり、図において１が本実施例の健康器である。
【００１２】
そして、本実施例の健康器１では容器を備えており、即ち、図において２が容器であり、本実施例においてこの容器２は、水分を通さない非浸水性の硬質のプラスチック製としており、全体を中空の円柱形状としている。
【００１３】
次に、図２において３は、ラジウムを含有するラジウム含有物質であり、本実施例においてこのラジウム含有物質としては、ラジウムを含有することで知られている、秋田県の玉川温泉で採取される湯の花を粉末にしたもの（以下「湯の花粉末」という。）を使用している。
【００１４】
そして、本実施例の健康器１では、この湯の花粉末３を前記容器２の内部に密封状態にして充填し、これにより本実施例の健康器１が構成されている。
【００１５】
次に、このように構成される本実施例の健康器１の使用方法を説明すると、本実施例の健康器１は、例えば、お湯を入れた浴槽の中に沈めて使用される。
【００１６】
即ち、お湯を入れた浴槽の中に本実施例の健康器１を入れると、容器２内の湯の花粉末３に含有されているラジウム元素から容器２の外部に放射線が放射されて、これにより浴槽内のお湯をラドン湯にすることができ、病気等の治療に効果があるお湯にすることができる。
【００１７】
そしてこのとき、本実施例の健康器１では、容器２内に湯の花粉末３を充填したシンプルな構成としているために、製造コストを抑えることができるという利点がある。
【００１８】
また、本実施例の健康器１では、水分を通さない非浸水性の硬質のプラスチック製容器２の内部に湯の花粉末３を密封状態で充填しているため、お湯の中に沈めた場合でも内部の湯の花粉末３がお湯の中に溶出することがない一方、ラジウム放射線は樹脂製の容器の中に密封した場合でも容器の外に放出されるために、ラジウムの効果を確保できるとともに、半永久的に使用することが可能である。
【００１９】
なお、本実施例において前記容器２は、水道管等に用いられている硬質プラスチック製の筒の底を同素材の蓋でシールした後に、この底をシールした筒の内部に前記湯の花粉末３を充填し、更にその後に、前記筒の上部を前記筒と同素材の蓋でシールして構成しており、シールの方法としては、接着剤を用いる方法や溶着等が考えられる。但し、必ずしもこの方法による必要はなく、非浸水性の容器の内部に密封状態で湯の花粉末３を充填してあればよく、また容器の形状も特に限定されない。
【実施例２】
【００２０】
次に、本発明の「健康器」の第２の実施例について図面を参照して説明すると、図３は本実施例の健康器の平面図であり、また図４は図３におけるＢ−Ｂ線断面図、図５は図３におけるＣ−Ｃ線断面図であり、図において１１が本実施例の健康器である。
【００２１】
そして、本実施例の健康器１１では、水を通さない非浸水性のビニール製の袋内に、前記湯の花粉末を密封状態で充填したことを特徴としている。
【００２２】
即ち、図３において１２が本実施例の健康器１１における容器であり、本実施例における前記容器１２は、水分を通さない非浸水性の細長いビニール製の袋としている。そして、袋内を、互いに連通しない構成で３列に仕切って３区画１２ａ、１２ｂ、１２ｃを形成している。
【００２３】
次に、図４及び図５において１３は、前述の実施例において用いたラジウム含有物質と同様の湯の花粉末である。即ち、本実施例の健康器１１では、前記３区画１２ａ、１２ｂ、１２ｃのそれぞれに、前述の第１実施例と同様に、秋田県の玉川温泉で採取される湯の花を粉末にしたものを密封状態にして充填しており、これにより本実施例の健康器１１を構成している。
【００２４】
次に、このように構成される本実施例の健康器１１の使用方法を説明すると、本実施例の健康器１１では、温めた岩盤や、フローリング等の上に置いて使用される。
【００２５】
即ち、ヒーター等で加熱可能な岩盤等の上や、フローリング上に本実施例の健康器１１を置き、この状態で前記岩盤を加熱して温め、あるいは適宜、床暖房等でフローリングを加熱して暖め、そして、この状態において本実施例の健康器１１の上に被治療者等が横になり、あるいは座る。
【００２６】
そうすると、容器１２内の湯の花粉末１３に含有されているラジウム元素から容器２の外部に放射線が放射されて、これにより、被治療者等は、玉川温泉における岩盤浴治療と同様の効果を得ることができる。
【００２７】
そしてこのとき、本実施例の健康器１１では、前述の第１実施例と同様に、容器１２内に湯の花粉末１３を充填したシンプルな構成としているために、製造コストを抑えることができるという利点がある。
【００２８】
なお、本実施例において前記容器１２は、ビニール製の大きめの袋を溶着等により、互いに連通しない状態で、かつそれぞれが開口部を有する形態で３区画１２ａ、１２ｂ、１２ｃに仕切り、開口部を介して各区画１２ａ、１２ｂ、１２ｃ内に湯の花粉末３を充填した後に、各区画１２ａ、１２ｂ、１２ｃにおける開口部を溶着等によりシールして製造した。但し、必ずしもこの方法による必要はなく、非浸水性のビニール製の容器の内部を互いに連通しない構成で３区画に仕切るとともにそれぞれの区画内に密封状態で湯の花粉末１３を充填してあればよい。また、必ずしも３区画に仕切る必要もなく、それ以下、あるいはそれ以上の区画にしてもよい。更に、ビニール製容器の形状も特に限定されない。
【実施例３】
【００２９】
次に、本発明の「健康器」の第３の実施例について図面を参照して説明すると、図６は、本実施例の健康器の縦断側面構造を示す図であり、図において２１が本実施例の健康器である。
【００３０】
そして、本実施例の健康器２１では、前述の第２実施例における容器１２と同様の構成の容器２２を用いており、この容器２２内に、秋田県の玉川温泉で採取される湯の花を粉末にしたものを更に秋田県の玉川温泉の温泉水に混ぜ合わせて液状化して、この液状化した湯の花粉末２３を密封状態で充填している。
【００３１】
即ち、図６において２２が容器であり、本実施例における前記容器２２は、前述の第２実施例における容器１２と同様に、全体を細長い形状の袋状としているとともに、その内部を互いに連通しない構成で３列に仕切って３区画を形成した構成としており、水分を通さない非浸水性のビニール製としている。
【００３２】
次に、図６において２３は、前記液状化した湯の花粉末である。即ち、前述したように、本実施例の健康器２１では、秋田県の玉川温泉で採取される湯の花を粉末にしたものを、更に、秋田県の玉川温泉の温泉水に混ぜ合わせて液状化させて、この液状化させた湯の花粉末２３を、密封状態で前記容器２２内に充填して構成されている。
【００３３】
玉川温泉における岩盤浴では、岩盤が暖かいために被治療者等は岩盤の上に横になったときに冷たさを感じることはないが、人工的に作った岩盤の上に湯の花等を敷き詰めて構成した岩盤浴の場合や、フローリング等の上に湯の花を収容した容器等を敷いた場合には、湯の花自体を加熱した場合は格別、そうでない場合には、特に冬場の寒いときには、湯の花が冷たいために、被治療者等は湯の花の上に横になったときに冷たさを感じてしまう。
【００３４】
しかしながら、本実施例の健康器２１においては、液状化させた湯の花粉末を前記容器２２内に充填しているため、岩盤を加熱することで、あるいはフローリング等を床暖房等で加熱することで、この岩盤等の上に敷いている健康器２１内の液状化させた湯の花粉末２３が加熱されるため、被治療者等が冷たさを感じてしまうことを防止できるとともに、岩盤等の温度に対応して保温効果を維持することが可能である。
【００３５】
また、液状化した湯の花粉末２３を用いている本実施例においては、湯の花粉末２３を充填した容器２２の容量を変えることなく、湯の花粉末に混ぜ合わせる温泉水の量を調整することで湯の花粉末２３の量を調整でき、これにより、放射されるラジウム放射線の量を調整することができるため、同一の容量の容器のみを用いて、治療度合いに応じた複数個の健康器を作ることができる。
【００３６】
このことを詳細に説明すると、ラジウムから放射される放射線の量はラジウムの量に応じて異なっているために、治療度合いに応じてラジウム放射線の量を異なったものにするためには、湯の花粉末を充填する容器の容量を異なったものにする必要がある。
【００３７】
即ち、ラジウムからの放射線を効率よく浴びるためには、容器内の全体に満遍なく湯の花粉末が分散されており湯の花粉末の隙間が無いことが望ましいが、容器内の全体に満遍なく湯の花粉末が分散されて湯の花粉末の隙間が無い状態において、湯の花粉末の量を少なくした場合には、容器内に湯の花粉末を満遍なく分散させることができず、隙間が生じて湯の花粉末が存在しない箇所が生じてしまい、これにより、ラジウムからの放射線を治療箇所の全体に効率よく浴びることが困難になってしまうことがある。
【００３８】
そのために、単に容器内に湯の花粉末を充填した場合においては、治療度合いに対応したラジウムの放射量を効率よく得るためには、湯の花粉末の量に応じて内部に満遍なく湯の花粉末が分散されて湯の花粉末の隙間が生じることの無い容量の容器を用いる必要があり、従って、必要な湯の花粉末の量に応じて容量の異なる複数種類の容器を備える必要があり、それによりコストも上がってしまう。
【００３９】
しかしながら、湯の花粉末を温泉水に混ぜ合わせて液状化し、この液状化した湯の花粉末２３を容器２２に充填した本実施例の健康器２１では、用いる湯の花粉末の量が異なっている場合でも、温泉水の量を調整することで全体の容量を同一にすることができる。そのために、必要な湯の花粉末の量に応じて容量の異なる複数種類の容器を備える必要が無くなり、従ってコストを抑えることも可能である。即ち、本実施例における液状化した湯の花粉末２３は、必要量のラジウム元素を確保可能な湯の花粉末の量を計った後に、液状化した湯の花粉末２３の量が容器２２の容量と一致するようにして、温泉水の量を調整した後にこの温泉水に湯の花粉末を混ぜ合わせることで製造することができる。
【００４０】
次に、このように構成される本実施例の健康器２１の使用方法を説明すると、本実施例の健康器２１は、前述の第２実施例の場合と同様に、ヒーター等で加熱可能な岩盤等の上や、フローリング上に置き、この状態で前記岩盤を加熱して温め、あるいは適宜、床暖房等でフローリングを加熱して暖め、そして、この状態において、本実施例の健康器２１の上に被治療者等が横になり、あるいは座る。
【００４１】
そうすると、容器２２内の湯の花粉末２３に含有されているラジウム元素から容器２２の外部に放射線が放射されて、これにより、被治療者等は、玉川温泉における岩盤浴治療と同様の効果を得ることができる。
【００４２】
そしてこのとき、本実施例の健康器２１では、前述の第１実施例と同様に、容器２２内に液状化した湯の花粉末２３を充填したシンプルな構成としているために、製造コストを抑えることができるという利点がある。
【００４３】
また、本実施例の健康器２１においては、液状化させた湯の花粉末２３を前記容器２２内に充填しているため、岩盤等を加熱することでこの岩盤等の上に敷いている健康器２１内の液状化させた湯の花粉末２３が加熱されるため、被治療者等が冷たさを感じてしまうことを防止できるとともに、岩盤等の温度に対応して保温効果を維持することが可能である。
【００４４】
更に、液状化した湯の花粉末２３を用いている本実施例においては、用いる湯の花粉末の量が異なっている場合でも温泉水の量を調整することで液状化した湯の花粉末２３の全体の容量を同一にすることができるために、必要な湯の花粉末の量に応じて容量の異なる複数種類の容器を備える必要が無くなり、これにより、必要な湯の花粉末の量に応じて容量の異なる複数種類の容器を備える場合と比較してコストを抑えることも可能である。
【００４５】
なお、本実施例における前記容器２２に関しても、前述の第２実施例の場合と同様に、容器内を互いに連通しない状態で３区画に仕切る方法は特に限定されず、また、必ずしも３区画に仕切る必要もなく、それ以下、あるいはそれ以上の区画にしてもよく、更に形状も特に限定されない。
【産業上の利用可能性】
【００４６】
本発明のラジウムを用いた健康器は、非浸水性の容器内にラジウムを含有した物質を密封状態で充填し、これにより、製造コストを抑えることができるとともに何度でも使用することを可能としているため、ラジウム放射線を利用した健康器の全般に適用可能である。
【図面の簡単な説明】
【００４７】
【図１】本発明のラジウムを用いた健康器の第１実施例の斜視図である。
【図２】図１におけるＡ−Ａ線断面図である。
【図３】本発明のラジウムを用いた健康器の第２実施例の平面図である。
【図４】図３におけるＢ−Ｂ線断面図である。
【図５】図３におけるＣ−Ｃ線断面図である。
【図６】本発明のラジウムを用いた健康器の第３実施例の縦断側面構造を示す図である。
【符号の説明】
【００４８】
１、１１、２１    ラジウムを用いた健康器
２、１２、２２    容器
３、１３    湯の花粉末
２３    液状化した湯の花粉末
【図１】
2008279075.tif 000003
【図２】
2008279075.tif 000004
【図３】
2008279075.tif 000005
【図４】
2008279075.tif 000006
【図５】
2008279075.tif 000007
【図６】
2008279075.tif 000008